(57)【要約】【課題】  本発明は、棚組立体を冷蔵室の外に選択的に取り出し得るように構成することによって、棚組立体の棚上に置かれた食物容器を載置位置と関係なく容易且つ便利に取り出したり確認し得る冷蔵庫を提供することを目的とする。【解決手段】  本発明に係る、本体の内部に冷蔵室が形成される冷蔵庫において、冷蔵室の内部に設置される棚組立体と、棚組立体を冷蔵室の内外部に引出入させる棚組立体引出入ユニットと、を含むことを特徴とする。【選択図】      図１
2006003063.tif 000002
【特許請求の範囲】
【請求項１】
本体の内部に冷蔵室が形成される冷蔵庫において、
前記冷蔵室の内部に設置される棚組立体と、
前記棚組立体を前記冷蔵室の内外部に引出入れできる棚組立体引出入ユニットと、を含むことを特徴とする冷蔵庫。
【請求項２】
前記棚組立体は所定間隔を置いて垂直に設置された複数のフレームと、
前記冷蔵室の側面側に位置するサイドカバーと、
前記冷蔵室の後面側に位置するリアカバーと、
前記サイドカバーとリアカバー間に形成された空間に水平に少なくとも一つ以上設置される棚と、を含むことを特徴とする請求項１記載の冷蔵庫。
【請求項３】
前記サイドカバーは透明材であることを特徴とする請求項２記載の冷蔵庫。
【請求項４】
前記サイドカバーの内面には、前記棚を支持する複数の棚支持部材が固定設置されることを特徴とする請求項２記載の冷蔵庫。
【請求項５】
前記棚組立体引出入ユニットは、前記冷蔵室の両側面に形成される第１ガイド部と、
前記第１ガイド部に連結できるように前記棚組立体に形成された第２ガイド部と、を含むことを特徴とする請求項１記載の冷蔵庫。
【請求項６】
前記第２ガイド部はゴム材であることを特徴とする請求項5記載の冷蔵庫。
【請求項７】
前記第２ガイド部はローラであることを特徴とする請求項5記載の冷蔵庫。
【請求項８】
内部に冷蔵室が形成される本体と、
前記冷蔵室の内部に設置されると共に前記本体の外部に引出し得るように設置される棚組立体と、を含むことを特徴とする冷蔵庫。
【請求項９】
前記棚組立体は、所定間隔を置いて相互に対峙して垂直に設置され、かつ前記冷蔵室の内側面に形成されたガイド溝に係合し得るようにガイド突起が形成された複数のフレームと、
複数のフレーム間に水平に設置される少なくとも一つ以上の棚と、を含むことを特徴とする請求項8記載の冷蔵庫。
【請求項１０】
前記ガイド突起はローラであることを特徴とする請求項9記載の冷蔵庫。
【請求項１１】
前記棚の側面にサイドカバーが設置されて、前記棚の後面にリアカバーが設置されることを特徴とする請求項１0記載の冷蔵庫。
【請求項１２】
前記サイドカバーの内面には、前記棚を支持する複数の棚支持部材が固定設置されていることを特徴とする請求項１1記載の冷蔵庫。
【発明の詳細な説明】
【技術分野】
【０００１】
本発明は、冷蔵庫に関し、詳しくは、棚組立体を冷蔵室の外に選択的に取り出し得るように構成することにより、その棚組立体の棚に置かれた食物容器を容易に取り出したり確認し得る冷蔵庫に関する。
【背景技術】
【０００２】
一般に、冷蔵庫は氷を作るための製氷容器及び冷凍食品を保管するための冷凍室と、冷蔵食品を保管する冷蔵室に区画されていて、その内部には、冷凍室及び冷蔵室に冷気を供給するための冷凍サイクルが装備される。
【０００３】
従来の冷蔵庫１０は、図７及び図８に示したように、本体１２内の上方に形成されて冷凍食品を保存する冷凍室１４と、前記本体１２内の下方に形成されて食物容器１６a、１６b或いは冷蔵食品を保存する冷蔵室１６と、前記本体１２の前面に開閉し得るように配置されるドア１８と、を含む。
【０００４】
また、前記冷蔵室１６の上部には、食物容器１６a、１６bを並べて置く棚２０が複数装着されて、前記冷蔵室１６の下部には野菜箱２２が設置される。
【０００５】
また、前記棚２０は、四角平板状に形成され、その端部２０aが前記冷蔵室１６の内側面に形成されたガイド溝２４に挟まれるように構成される。
【０００６】
このように構成された従来の冷蔵庫１０において、前記棚２０上に複数の食物容器１６a、１６bを載置して保管する。
【発明の開示】
【発明が解決しようとする課題】
【０００７】
然るに、従来の冷蔵庫１０において、前記棚２０の端部２０aが前記ガイド溝２４に単純に挟まれる構造であるために、前記食物容器１６a、１６bが載置された前記棚２０を冷蔵室１６の外に引き出すことが非常に難しいという不都合があった。
【０００８】
従って、前記棚２０上に食物容器１６a、１６bがたくさん保管され、棚の前方に置かれた食物容器１６aによって前記棚２０の後方に置かれた食物容器１６bが隠されて確認し得ない場合、前記棚２０の後方に置かれた食物容器１６bを取り出したり確認するには、前記棚の前方に置かれた食物容器１６aを先ず取り出さなければならない。このために使用者にとって使用が不便で、時間を不必要に消耗するという不都合があった。
【０００９】
また、防振部材を別途使用することなく、棚の端部がガイド溝に直接挟まれているために、冷蔵庫の運転中に圧縮機等から発生する振動が棚に直ちに伝えられ、振動騷音を誘発するだけではなく、棚上に置かれた食物容器が揺られて落ちるという不都合があった。
【００１０】
本発明は、上記の問題点に鑑み、棚組立体を冷蔵室の外に選択的に取り出し得るように構成することによって、前記棚組立体の棚上に置かれた食物容器を設置位置と関係なく容易、且つ便利に取り出したり確認し得る冷蔵庫を提供することを目的とする。
【００１１】
また、本発明は、棚組立体の端部に防振ゴム材を付設することで、棚上に置かれた食物容器の落下を防止して振動騷音を效果的に防止し得る冷蔵庫を提供することを目的とする。
【課題を解決するための手段】
【００１２】
上記目的を達成するための本発明に係る第１実施形態に係る冷蔵庫は、本体の内部に冷蔵室が形成される冷蔵庫において、前記冷蔵室の内部に設置される棚組立体と、前記棚組立体を前記冷蔵室の内外部に引出入れできる棚組立体引出入ユニットと、を含むことを特徴とする。
【００１３】
好適には、前記棚組立体は、所定間隔を置いて垂直に設置された複数のフレームと、前記冷蔵室の側面側に位置するサイドカバーと、前記冷蔵室の後面側に位置するリアカバーと、前記サイドカバーとリアカバー間に形成された空間に水平に少なくとも一つ以上設置される棚とを含む。
【００１４】
好適には、前記サイドカバーは、透明材質、例えば、アクリル材である。
また、前記サイドカバーとリアカバーの内面には、前記棚を支持する複数の棚支持部材が固定設置されるが、前記棚支持部材は防振ゴム材に形成されることが好ましい。
【００１５】
好適には、前記棚組立体引出入ユニットは、前記冷蔵室の両側面に形成される第１ガイド部と、前記第１ガイド部に連結できるように前記棚組立体に形成された第２ガイド部と、を含む。
【００１６】
更に、本発明に係る他の実施形態に係る冷蔵庫において、内部に冷蔵室が形成される本体と、前記冷蔵室の内部に設置されて前記本体外部に引出し可能に設置される棚組立体を含むことを特徴とする。
【００１７】
好適には、前記棚組立体は、所定間隔を置いて相互に対峙して垂直に設置され、かつ前記本体の内部側面に形成されたガイド溝に係合し得るようにガイド突起が形成された複数のフレームと、これらフレーム間に水平に設置される少なくとも一つ以上の棚とを含む。
【００１８】
前記ガイド突起はローラであってよい。
【００１９】
前記棚の側面にサイドカバーが設置されて、前記棚の後面にリアカバーが設置されてよい。
【００２０】
前記サイドカバーの内面には、前記棚を支持する複数の棚支持部材が固定設置されていてよい。
【発明の効果】
【００２１】
本発明に係る冷蔵庫において、棚組立体を冷蔵室の外に選択的に取り出し得るように構成することで、前記棚組立体の棚上に置かれた食物容器を載置位置と関係なく容易で、且つ便利に取り出したり確認し得るという効果がある。
また、棚組立体の端部に防振ゴム材を付設することで、棚上に置かれた食物容器の落下を防止して振動騷音を效果的に防止し得るという効果がある。
【発明を実施するための最良の形態】
【００２２】
以下、本発明に係る冷蔵庫に対して図面を用いて説明する。
本発明に係る第１実施形態に係る冷蔵庫１００において、図１乃至図４に示したように、本体１１０の上方に形成されて冷凍食品を保存する冷凍室１２０と、前記本体１１０の下方に形成されて食物容器１６a、１６b或いは冷蔵食品(図示されず）を保存する冷蔵室１３０と、前記本体１１０の前面に開閉し得るように設置されたドア１４０と、前記冷蔵室１３０の内部に設置される棚組立体１５０と、前記棚組立体１５０を前記冷蔵室１３０の外部に引出し得るようにする棚組立体引出しユニット１６０と、を含む。
【００２３】
また、前記棚組立体１５０の構造においては、所定間隔を置いて垂直に二本のフレーム１５１が設置されて、前記フレーム１５１の前方にはサイドカバー１５２が位置されて、前記フレーム１５１間側方にはリアカバー１５３が位置され、かつ前記サイドカバー１５２とリアカバー１５３間に形成された空間には、水平に棚１５４が少なくとも一つ以上設置される。
【００２４】
また、前記サイドカバー１５２とリアカバー１５３は、各端部１５２a、１５３aが前記フレーム１５１の切欠き溝１５１aに挟まれて固定されている。また、前記サイドカバー１５２は、充分な強度を維持しながらも前記棚１５４上に置かれた食物容器を確認し得る透明な材質、例えば、アクリル材質に形成されることが好ましい。
【００２５】
また、前記サイドカバー１５２とリアカバー１５３の内側には、棚１５４が所定高さに設置され、前記棚１５４は、四角平板状に形成される。
【００２６】
また、前記サイドカバー１５２の内面には、前記棚１５４を支持する棚支持部材１５５が上下所定間隔を置いて固定設置されるが、前記各棚支持部材１５５は、各棚１５４の両端部を支持する役割をする。
【００２７】
また、前記棚支持部材１５５は、振動騷音を防止し得るように防振ゴム材により形成されることが好ましい。
【００２８】
また、前記棚組立体引出しユニット１６０は、前記冷蔵室１３０の両側面に形成される第１ガイド部１６１と、前記第１ガイド部１６１に連結できるように前記棚組立体１５０に形成される第２ガイド部１６２と、を含む。
【００２９】
また、前記第１ガイド部１６１は、前記本体１１０の内面、即ち、冷蔵室１３０の内面両側に溝構造に水平に形成される。また、前記第２ガイド部１６２は、前記第１ガイド部１６１にスライド可能に係合するように棚組立体１５０のフレーム１５１の側面に突起構造に形成されている。
【００３０】
振動騷音が前記棚１５４に直接伝達しないように前記第２ガイド部１６２は防振ゴム材により形成されることが好ましい。
【００３１】
一方、本発明に係る冷蔵庫の棚組立体の引出入構造の他の例としては、図５に示したように、前記棚組立体１５０を円滑に引出入し得るようにローラ型第２ガイド部２６２がガイド溝１６１に挟まれた状態で軸２６２aを中心に回転するように構成される。
【００３２】
このようにローラ型第２ガイド部２６２によって棚組立体１５０がより円滑に冷蔵室１３０の外に引出し得るので使用が非常に便利である。
【００３３】
また、本発明に係る冷蔵庫の棚組立体の引出入構造の他の例として、図６に示したように、棚組立体１５０をスライドさせ得るように冷蔵室１３０の内面両側にガイド突起３６１が形成され、かつこれに対応するフレーム１５１の側面にはガイド溝３６２が形成されてよい。
【００３４】
このように前記フレーム１５１にガイド溝３６２が形成されて冷蔵室１３０の内面にガイド突起３６１が形成される場合には、図３に図示された冷蔵庫の冷蔵室に比べて冷蔵室の大きさをもう少し大きく形成し得るという利点がある。
【００３５】
以下、本発明に係る第１実施形態に係る冷蔵庫の作用に関し、図１乃至図４を用いて説明する。
【００３６】
棚組立体１５０の棚１５４上には、複数の食物容器１６a、１６bが保存できる。この状態で、ユーザーの望む食物容器を取り出したり確認しようとする場合、棚組立体１５０を前方に引き寄せると、前記第１ガイド部１６１にスライド可能に挟まれている第２ガイド部１６２によって棚組立体１５０が前方にスライドする。
【００３７】
次いで、前記棚組立体１５０がスライドして前記冷蔵室１３０の外にある程度引き出されると、前記棚組立体１５０の移動を止めて、使用者は前記棚１５４上に保存されている食物容器を容易に取り出したり確認することができる。
【００３８】
ここで、前記サイドカバー１５２が透明材質のアクリル材により形成されてるので、使用者は探そうとする食物容器をより容易に識別し得る。
【００３９】
反対に、前記棚組立体１５０を冷蔵室１３０に収納する場合には、前記棚組立体１５０を後方へ押し入れると、前記第１ガイド部１６１にスライド可能に挟まれる第２ガイド部１６２によって前記棚組立体１５０がスライドしながら前記冷蔵室１３０の中に収納される。
【００４０】
他方、前記第２ガイド部材１６２は、防振ゴム材により形成されているので、冷蔵庫運転の時に圧縮機などから発生する振動が棚１５４に伝達することなく、前記棚１５４上に置かれた食物容器を安全に保存し得るだけではなく、振動騷音を效果的に防止し得る。
【図面の簡単な説明】
【００４１】
【図１】本発明に係る冷蔵庫を示した分離斜視図である。
【図２】図１のA部拡大図である。
【図３】本発明に係る冷蔵庫の棚組立体の引出入構造を説明する縦断面図である。
【図４】本発明に係る冷蔵庫を示した正面図である。
【図５】本発明に係る冷蔵庫の棚組立体の引出入構造の他の例を示した正面図である。
【図６】本発明に係る冷蔵庫の棚組立体の引出入構造の他の例を示した正面図である。
【図７】従来の冷蔵庫を示した斜視図である。
【図８】従来の冷蔵庫を示した種断面図である。
【符号の説明】
【００４２】
１００    冷蔵庫
１１０    本体
１２０    冷凍室
１６a、１６b    食物容器
１３０    冷蔵室
１４０    ドア
１５０    棚組立体
１６０    棚組立体引出しユニット
１５１    フレーム
１５２    サイドカバー
１５３    リアカバー
１５４    棚
１５２a    サイドカバー端部
１５３a    リアカバー端部
１５１a    切欠き溝
１５５    棚支持部材
１６１    第１ガイド部
１６２    第２ガイド部
２６２    ローラ型第２ガイド部
２６２a    軸
３６１    ガイド突起
３６２    ガイド溝
【図１】
2006003063.tif 000003
【図２】
2006003063.tif 000004
【図３】
2006003063.tif 000005
【図４】
2006003063.tif 000006
【図５】
2006003063.tif 000007
【図６】
2006003063.tif 000008
【図７】
2006003063.tif 000009
【図８】
2006003063.tif 000010